(57)【特許請求の範囲】
【請求項１】
建築現場に設置されるＩＣタグ収納ボックス内に収納されることにより、建築現場に付設されるＩＣタグと、
検査結果が入力されるデータ入力部、該データ入力部に入力された検査結果データをＱＲコード(登録商標）に変換する演算部、該ＱＲコード(登録商標）を検査対象に刻印するレーザーマーカー部、及び該レーザーマーカー部により該ＱＲコード(登録商標）を該検査対象に刻印すると同時に、該検査結果データをライターに送信するデータ送信部を有する電子計算機と、
該電子計算機の該データ送信部から送信される該検査結果データを、該ＩＣタグに書き込むライターと、
からなることを特徴とする施工履歴の管理システム。
【請求項２】
建築現場に設置されるＩＣタグ収納ボックス内に収納されることにより、建築現場に付設されるＩＣタグと、
建築資材に付されている資材データを読み取るデータ読み取り部、読み取られた資材データが入力されるデータ入力部及び該データ入力部に入力された資材データをライターに送信するデータ送信部を有する電子計算機と、
該電子計算機の該データ送信部から送信される該資材データを、該ＩＣタグに書き込むライターと、
からなることを特徴とする施工履歴の管理システム。
【発明の詳細な説明】
【技術分野】
【０００１】
本発明は、住宅の建築において、住宅建築の施工履歴を管理するための施工履歴の管理システムに関する。
【背景技術】
【０００２】
住宅の建築においては、建築過程が複数の工程に分けられ、各工程の施工が終了する毎に、適切な施工がされているか否かの検査が行われる。そして、検査において、全ての検査項目が適切と判断されたときに、適切な施工が行われたとして、次の工程へと移る。
【０００３】
施工主にとって、住宅が完成するまでに、どのような施工が行われ、どのような検査を経たのかをまとめておくこと、すなわち、住宅建築の施工履歴を管理することは、重要なことである。
【０００４】
そして、１つの住宅が完成するまでに行われる検査は複数回あり、また、その検査の項目数も多い。
【０００５】
従来、このような多数の検査結果データを管理する方法としては、検査結果データをサーバーに保存し、管理するということが行われていた。
【発明の概要】
【発明が解決しようとする課題】
【０００６】
サーバーへの検査結果データの保存及び管理にあたっては、外部サーバーを使用する必要があるため、外部サーバーを管理するサーバー管理会社へのサーバー使用料が必要となり、また、外部サーバーにデータを入力し管理するためには、データの入力及び管理をするための管理システムが必要となるが、そのような管理システム管理する会社へのシステム使用料が必要となる。
【０００７】
そのため、サーバーで検査結果データを保存及び管理する方法では、住宅の建築そのものにかかる費用に加えて、住宅建築過程の検査結果データ等の施工履歴の管理のための費用が、多く発生してしまうという問題があった。
【０００８】
従って、本発明の課題は、サーバーを使用せずに、住宅建築における施工履歴を管理することができる施工履歴の管理システムを提供することにある。
【課題を解決するための手段】
【０００９】
このような課題は、以下の発明によって、解決される。すなわち、本発明（１）は、建築現場に設置されるＩＣタグ収納ボックス内に収納されることにより、建築現場に付設されるＩＣタグと、
検査結果が入力されるデータ入力部、該データ入力部に入力された検査結果データをＱＲコード(登録商標）に変換する演算部、該ＱＲコード(登録商標）を検査対象に刻印するレーザーマーカー部、及び該レーザーマーカー部により該ＱＲコード(登録商標）を該検査対象に刻印すると同時に、該検査結果データをライターに送信するデータ送信部を有する電子計算機と、
該電子計算機の該データ送信部から送信される該検査結果データを、該ＩＣタグに書き込むライターと、
からなることを特徴とする施工履歴の管理システムを提供するものである。
【００１０】
また、本発明（２）は、建築現場に設置されるＩＣタグ収納ボックス内に収納されることにより、建築現場に付設されるＩＣタグと、
建築資材に付されている資材データを読み取るデータ読み取り部、読み取られた資材データが入力されるデータ入力部及び該データ入力部に入力された資材データをライターに送信するデータ送信部を有する電子計算機と、
該電子計算機の該データ送信部から送信される該資材データを、該ＩＣタグに書き込むライターと、
からなることを特徴とする施工履歴の管理システムを提供するものである。
【発明の効果】
【００１１】
本発明によれば、サーバーを使用せずに、住宅建築における施工履歴を管理することができる施工履歴の管理システムを提供することができる。
【図面の簡単な説明】
【００１２】
【図１】本発明の施工履歴の管理システム（１）を示す模式図である。
【図２】本発明の施工履歴の管理システム（１）を用いて、施工履歴の管理を行っている様子を示す模式図である。
【図３】本発明の施工履歴の管理システム（１）を用いて、施工履歴の管理を行っている様子を示す模式図である。
【図４】本発明の施工履歴の管理システム（１）を用いて、施工履歴の管理を行っている様子を示す模式図である。
【図５】本発明の施工履歴の管理システム（１）を用いて、施工履歴の管理を行っている様子を示す模式図である。
【図６】本発明の施工履歴の管理システム（１）を用いて、施工履歴の管理を行っている様子を示す模式図である。
【図７】本発明の施工履歴の管理システム（１）を用いて、施工履歴の管理を行っている様子を示す模式図である。
【図８】本発明の施工履歴の管理システム（１）を用いて、施工履歴の管理を行っている様子を示す模式図である。
【図９】本発明の施工履歴の管理システム（２）を示す模式図である。
【図１０】本発明の施工履歴の管理システム（２）を用いて、施工履歴の管理を行っている様子を示す模式図である。
【発明を実施するための形態】
【００１３】
本発明の第一の形態の施工履歴の管理システム（以下、本発明の施工履歴の管理システム（１）とも記載する。）は、建築現場に付設されるＩＣタグと、
検査結果が入力されるデータ入力部、該データ入力部に入力された検査結果データをＱＲコード（登録商標）に変換する演算部、該ＱＲコード（登録商標）を検査対象に刻印するレーザーマーカー部、及び該レーザーマーカー部により該ＱＲコード（登録商標）を該検査対象に刻印すると同時に、該検査結果データをライターに送信するデータ送信部を有する電子計算機と、
該電子計算機の該データ送信部から送信される該検査結果データを、該ＩＣタグに書き込むライターと、
からなることを特徴とする施工履歴の管理システムである。
【００１４】
本発明の施工履歴の管理システム（１）について、図１〜図８を参照して説明する。図１は、本発明の施工履歴の管理システム（１）を示す模式図である。図２〜図８は、本発明の施工履歴の管理システム（１）を用いて、施工履歴の管理を行っている様子を示す模式図である。
【００１５】
図１中、施工履歴の管理システム１０は、ＩＣタグ１と、ライター２と、電子計算機３と、からなる。
【００１６】
ＩＣタグ１は、住宅の建築過程において、施工検査が行われる毎に、その検査結果データが書き込まれ、保存される記憶媒体である。ＩＣタグ１は、住宅の建築現場に付設される。
【００１７】
電子計算機３は、検査結果が入力されるデータ入力部６と、データ入力部６に入力された検査結果データをＱＲコード（登録商標）に変換する演算部９と、検査結果データのＱＲコード（登録商標）のパターンのレーザービーム８を検査対象に照射して、検査結果データのＱＲコード（登録商標）を検査対象２０に刻印するためのレーザーマーカー部５と、レーザーマーカー部５によりＱＲコード（登録商標）を検査対象２０に刻印すると同時に、検査結果データ７をライター２に送信するデータ送信部４と、からなる。つまり、電子計算機３は、データ入力部６と演算部９とを有する電子計算機であり、レーザーマーカー部５とデータ送信部４とが取り付けられており、演算部９とデータ入力部６、演算部９とレーザーマーカー部５、及び演算部９とデータ送信部４が、電気的又は電子的に繋がっている。
【００１８】
ライター２は、電子計算機３のデータ送信部４から送信される検査結果データ７を受信し、ＩＣタグ１に検査結果データ７を書き込む手段である。
【００１９】
次に、本発明の施工履歴の管理システム（１）を用いて、住宅建築における施工履歴の管理を行う方法について説明する。
【００２０】
住宅の建築では、住宅の建築に先立って、住宅の完成までの建築過程が、いくつかの建築工程に分割され、定められた建築工程毎に、施工と施工状態の検査が行われる。以下では、住宅の建築過程が、基礎工事工程と、躯体工事工程と、内装下地工事工程と、外装工事工程と、仕上工事工程とに、分割された場合を例に説明する。なお、住宅の建築過程の分割方法は、これに制限されるものではない。
【００２１】
先ず、図２に示すように、建築現場１２に、ＩＣタグ１を収納するためのＩＣタグ収納ボックス１１が設置される。そして、ＩＣタグ収納ボックス１１内に、ＩＣタグ１が収納されることにより、建築現場１２に、ＩＣタグ１が付設される。
【００２２】
次いで、図３に示すように、建築現場１２に、基礎工事工程が施工されて、基礎１３が形成される。基礎工事工程の施工が終了すると、検査員により基礎工事工程の施工状態についての検査が行われる。具体的には、基礎工事工程の施工が終了したと認定されるために必要な検査項目がリストアップされ、各検査項目について、適切な施工が行われているか否かが検査員により判定される。そして、全ての検査項目が「適切な施工」と判断された場合に、基礎工事工程の施工が終了と認定される。
【００２３】
検査員により基礎工事工程の施工が終了と認定されると、図４に示すように、建築現場１２に、ＩＣタグ１と、ライター２と、データ入力部６、演算部９、レーザーマーカー部５及びデータ送信部４を有する電子計算機３と、からなる施工履歴の管理システム１０が構築される。そして、電子計算機３のデータ入力部６に検査結果データが入力される。データ入力部６に入力された検査結果データは、演算部９で、ＱＲコード（登録商標）に変換される。次いで、検査結果データのＱＲコード（登録商標）を検査対象である基礎１３に刻印するためのレーザービーム８が、レーザーマーカー部５により、基礎１３に向けて照射されて、基礎１３に検査結果データのＱＲコード（登録商標）が刻印される。また、レーザーマーカー部５によりＱＲコード（登録商標）を検査対象に刻印すると同時に、検査結果データ７が、データ送信部４により、ライター２に送信される。ライター２に送信された検査結果データ７は、ライター２により、ＩＣタグ１に書き込まれる。
【００２４】
なお、検査の結果、基礎工事工程が終了と認定されなかった場合、つまり、基礎工事工程の検査項目のいずれかが、「不適切な施工」と判断された場合は、不適切な施工と判断された項目について、再施工が行われ、再施工が終了すると、検査員による再検査が行われる。そして、再施工と検査員による再検査は、全ての検査項目が「適切な施工」と判断されるまで、繰り返し行われる。これらの再施工及び再検査は、以下に述べる工程においても同様である。
【００２５】
基礎工事工程の施工が終了と認定されると、次に、図５に示すように、基礎１３の上に、躯体工事工程が施工されて、躯体１４が形成される。躯体工事工程の施工が終了すると、検査員により躯体工事工程の施工状態についての検査が行われる。具体的には、基礎工事工程と同様に躯体工事工程の施工が終了したと認定されるために必要な検査項目がリストアップされ、各検査項目について、適切な施工が行われたか否かが検査員により判定される。そして、全ての検査項目が「適切な施工」と判断された場合に、躯体工事工程の施工が終了と認定される。
【００２６】
検査員により躯体工事工程の施工が終了と認定されると、図６に示すように、建築現場１２に、ＩＣタグ１と、ライター２と、データ入力部６、演算部９、レーザーマーカー部５及びデータ送信部４を有する電子計算機３と、からなる施工履歴の管理システム１０が構築される。そして、電子計算機３のデータ入力部６に検査結果データが入力される。データ入力部６に入力された検査結果データは、演算部９で、ＱＲコード（登録商標）に変換される。次いで、検査結果データのＱＲコード（登録商標）を検査対象である躯体１４に刻印するためのレーザービーム８が、レーザーマーカー部５により、躯体１４に向けて照射されて、躯体１４に検査結果データのＱＲコード（登録商標）が刻印される。また、レーザーマーカー部５によりＱＲコード（登録商標）を検査対象に刻印すると同時に、検査結果データ７が、データ送信部４により、ライター２に送信される。ライター２に送信された検査結果データ７は、ライター２により、ＩＣタグ１に書き込まれる。
【００２７】
躯体工事工程の施工が終了と認定されると、次に、図７に示すように、内装下地工事工程が施工されて、内装下地１５が形成される。内装下地工事工程の施工が終了すると、検査員により内装下地工事工程の施工状態についての検査が行われる。具体的には、基礎工事工程と同様に内装下地工事工程の施工が終了したと認定されるために必要な検査項目がリストアップされ、各検査項目について、適切な施工が行われたか否かが検査員により判定される。そして、全ての検査項目が「適切な施工」と判断された場合に、内装下地工事工程の施工が終了と認定される。
【００２８】
検査員により内装下地工事工程の施工が終了と認定されると、図８に示すように、建築現場１２に、ＩＣタグ１と、ライター２と、データ入力部６、演算部９、レーザーマーカー部５及びデータ送信部４を有する電子計算機３と、からなる施工履歴の管理システム１０が構築される。そして、電子計算機３のデータ入力部６に検査結果データが入力される。データ入力部６に入力された検査結果データは、演算部９で、（登録商標）に変換される。次いで、検査結果データのＱＲコード（登録商標）を検査対象である内装下地１５に刻印するためのレーザービーム８が、レーザーマーカー部５により、内装下地１５に向けて照射されて、内装下地１５に検査結果データのＱＲコード（登録商標）が刻印される。また、レーザーマーカー部５によりＱＲコード（登録商標）を検査対象に刻印すると同時に、検査結果データ７が、データ送信部４により、ライター２に送信される。ライター２に送信された検査結果データ７は、ライター２により、ＩＣタグ１に書き込まれる。
【００２９】
以降、同様にして、外装工事工程及び仕上工事工程の施工と検査が行われ、全ての工程が終了となると、住宅が完成する。
【００３０】
本発明の施工履歴の管理システム（１）は、建築現場に付設されるＩＣタグと、
検査結果が入力されるデータ入力部、該データ入力部に入力された検査結果データをＱＲコード（登録商標）に変換する演算部、該ＱＲコード（登録商標）を検査対象に刻印するレーザーマーカー部、及び該レーザーマーカー部により該ＱＲコード（登録商標）を該検査対象に刻印すると同時に、該検査結果データをライターに送信するデータ送信部を有する電子計算機（１）と、
該電子計算機（１）の該データ送信部から送信される該検査結果データを、該ＩＣタグに書き込むライターと、
からなることを特徴とする施工履歴の管理システムである。
【００３１】
ＩＣタグは、特に制限されず、記憶部、電源整流部、送信部及び受信部とからなるＩＣチップと、コイル状の小型アンテナと、で構成される記憶媒体である。ＩＣタグの付設場所及び付設方法は、特に制限されず、例えば、ＩＣタグの収納ボックスが建築現場に設置され、そのＩＣタグの収納ボックス内にＩＣタグが収納されることにより、ＩＣタグが建築現場に付設される。
【００３２】
ＱＲコード（登録商標）に変換される検査結果データは、各建築工程、各建築工程の検査項目、検査結果、建築対象の図面、現場写真等の検査結果に関するデータである。また、検査結果データには、検査を行った検査員の署名や捺印等をデータ化したものを付すこともできる。
【００３３】
レーザーマーカー部は、電子計算機（１）の演算部で、ＱＲコード（登録商標）に変換された検査結果データのＱＲコード（登録商標）を、検査対象に刻印するためのレーザービームを照射する手段である。レーザーマーカー部による刻印は、鉄、ステンレス、アルミニウム等の金属に対して可能なため、検査対象の材質が、鉄、ステンレス、アルミニウム等の金属の場合は、検査対象に直接刻印され、また、検査対象の材質が、木、プラスチック樹脂等の非金属の場合、検査対象に付設される金属材に刻印がされる。
【００３４】
レーザーマーカー部から検査対象に向かって照射されるレーザービームの種類は、対象に刻印できるものであれば、特に制限されず、適宜選択される。
【００３５】
電子計算機（１）は、レーザーマーカー部によりＱＲコード（登録商標）を検査対象に刻印するためのレーザービームを、検査対象に照射すると同時に、検査結果データをライターに送信するデータ送信部を有する。レーザーマーカー部によりＱＲコード（登録商標）を検査対象に刻印するためのレーザービームを、検査対象に照射すると同時に、検査結果データをライターに送信する手段としては、特に制限されず、例えば、電子計算機（１）に、レーザービーム照射の命令が入力されると、レーザーマーカー部へのレーザービームの照射命令と、データ送信部への検査結果データの送信命令とを、電子計算機（１）が同時に送るようにプログラムされたプログラムが挙げられる。
【００３６】
ライターは、特に制限されず、電子計算機（１）から送信された計算結果データを、ＩＣタグに書き込む手段であり、電子計算機（１）から送信された計算結果データの受信と、受信した検査算結果データのＩＣタグへの書き込みが可能なものであればよい。
【００３７】
住宅の建築過程の施工管理においては、各建築工程が施工された後、検査員による検査が行われる。そして、検査結果データの入力、検査対象へのＱＲコード（登録商標）の刻印及びＩＣタグへの検査結果データの書き込みに当たっては、建築現場に付設されているＩＣタグの近傍に、ライターが置かれ、電子計算機（１）のデータ送信部とライターとが、無線ＬＡＮで繋がれることにより、本発明の施工履歴の管理システム（１）が構築される。次いで、電子計算機（１）のデータ入力部への検査結果データの入力が行われ、次いで、検査対象へのＱＲコード（登録商標）の刻印及びＩＣタグへの検査結果データの書き込み行われる。このような、建築工程の施工、検査、検査結果の入力、検査対象へのＱＲコード（登録商標）の刻印及びＩＣタグへの検査結果データの書き込みが、各建築工程毎に行われて、検査対象へのＱＲコード（登録商標）の刻印とＩＣタグへの検査結果データの保存がされることにより、施工履歴が管理される。
【００３８】
本発明の施工履歴の管理システム（１）によれば、施工履歴の管理が、建築現場に付設されるＩＣタグと検査対象、すなわち、建築住宅そのものを媒体として行われるため、外部サーバーが不要である。また、本発明の施工履歴の管理システム（１）では、検査対象へのＱＲコード（登録商標）の刻印とＩＣタグへの検査結果データの保存が、同時に行われるため、検査結果データの改ざんが防止される。
【００３９】
本発明の第二の形態の施工履歴の管理システム（以下、本発明の施工履歴の管理システム（２）とも記載する。）は、建築現場に付設されるＩＣタグと、
建築資材に付されている資材データを読み取る読み取り部、読み取られた資材データが入力されるデータ入力部、及び該データ入力部に入力された資材データをライターに送信するデータ送信部を有する電子計算機（２）と、
該電子計算機（２）の該データ送信部から送信される該資材データを、該ＩＣタグに書き込むライターと、
からなることを特徴とする施工履歴の管理システムである。
【００４０】
本発明の施工履歴の管理システム（２）について、図９〜図１０を参照して説明する。図９は、本発明の施工履歴の管理システム（２）を示す模式図である。図１０は、本発明の施工履歴の管理システム（２）を用いて、施工履歴の管理を行っている様子を示す模式図である。
【００４１】
図９中、施工履歴の管理システム３０は、ＩＣタグ１と、ライター２と、電子計算機３３と、からなる。
【００４２】
ＩＣタグ１は、住宅の建築過程において、建築現場に建築資材、すなわち、住宅の建築材料が運び込まれる毎に、その建築資材に付されている資材データを読み取り、読み取られた資材データが保存される記憶媒体である。ＩＣタグ１は、住宅の建築現場に付設される。
【００４３】
電子計算機３３は、建築資材に付されている資材データを読み取る読み取り部３１と、資材データが入力されるデータ入力部３６と、データ入力部３６に入力された資材データ３７をライター２に送信するデータ送信部４と、からなる。つまり、電子計算機３３は、データ入力部３６を有する電子計算機であり、読み取り部３１とデータ送信部４とが取り付けられており、データ入力部３６と読み取り部３１、及びデータ入力部３６とデータ送信部４が、電気的又は電子的に繋がっている。
【００４４】
ライター２は、電子計算機３３のデータ送信部４から送信される資材データ３７を受信し、ＩＣタグ１に資材データ３７を書き込む手段である。
【００４５】
次に、本発明の施工履歴の管理システム（２）を用いて、住宅建築における施工管理を行う方法について説明する。
【００４６】
図１０に示すように、先ず、建築現場１２に、ＩＣタグ１を収納するためのＩＣタグ収納ボックス１１が設置される。そして、ＩＣタグ収納ボックス１１内に、ＩＣタグ１が収納されることにより、建築現場１２に、ＩＣタグ１が付設される。
【００４７】
図１０に示すように、建築現場１２に住宅建築の工程を施工するに当たっては、各工程の施工に必要な建築資材１６が、建築現場１２に運び込まれる。建築資材１６が建築現場１２に運び込まれると、建築現場１２に、ＩＣタグ１と、ライター２と、読み取り部３１、データ入力部３６及びデータ送信部４を有する電子計算機３３と、からなる施工履歴の管理システム３０が構築される。そして、建築資材１６に付されている資材データが、読み取り部３１により読み取られ、読み取り部３１により読み取られた資材データが、電子計算機３３のデータ入力部３６に入力される。データ入力部３６に入力された資材データ３７は、データ送信部４により、ライター２に送信される。ライター２に送信された資材データ３７は、ライター２により、ＩＣタグ１に書き込まれる。
【００４８】
以降、同様にして、建築現場１２に、資材データが付された建築資材が運び込まれる毎に、資材データの読み込み及びＩＣタグへの資材データの書き込みが行われる。
【００４９】
本発明の施工履歴の管理システム（２）は、建築現場に付設されるＩＣタグと、
建築資材に付されている資材データを読み取る読み取り部、読み取られた資材データが入力されるデータ入力部及び該データ入力部に入力された資材データをライターに送信するデータ送信部を有する電子計算機（２）と、
該電子計算機（２）の該データ送信部から送信される該資材データを、該ＩＣタグに書き込むライターと、
からなることを特徴とする施工履歴の管理システムである。
【００５０】
ＩＣタグは、特に制限されず、記憶部、電源整流部、送信部及び受信部とからなるＩＣチップと、コイル状の小型アンテナと、で構成される記憶媒体である。ＩＣタグの付設場所及び付設方法は、特に制限されず、例えば、ＩＣタグの収納ボックスが建築現場に設置され、そのＩＣタグの収納ボックス内にＩＣタグが収納されることにより、ＩＣタグが建築現場に付設される。
【００５１】
建築資材に付されている資材データは、建築現場に運び込まれる建築資材のデータであり、その資材の材質、原材料、製造元、製造日、ロットナンバー、性能、性質等の建築資材に関するデータである。資材データは、バーコード、ＱＲコード（登録商標）等に変換されて建築資材に付されていても、建築資材に付されているＩＣタグ等の記憶媒体に記憶されていてもよい。
【００５２】
電子計算機（２）は、建築資材に付されている資材データを読み取る読み取り部を有する。資材データに付されている資材データが、バーコード又はＱＲコード（登録商標）の場合、読み取り部は、読み込んだバーコード又はＱＲコード（登録商標）を、資材データに変換して、変換された資材データが、電子計算機（２）のデータ入力部に入力される。また、資材データに付されている資材データが、建築資材に付されているＩＣタグに記憶されている場合、読み取り部は、ＩＣタグに記憶されているデータを読み取るリーダーを有し、このリーダーにより資材データを読み取り、読み取られた資材データが、電子計算機（２）のデータ入力部に入力される。
【００５３】
ライターは、特に制限されず、電子計算機（２）から送信された資材データを、ＩＣタグに書き込む手段であり、電子計算機（２）から送信された資材データの受信と、受信した資材データのＩＣタグへの書き込みが可能なものであればよい。
【００５４】
住宅の建築過程の施工管理においては、各建築工程の施工に必要な建築資材が建築現場に運び込まれた後、建築現場に付設されているＩＣタグの近傍に、ライターが置かれ、電子計算機（２）のデータ送信部とライターとが、無線ＬＡＮで繋がれることにより、本発明の施工履歴の管理システム（２）が構築される。次いで、電子計算機の読み取り部により資材データの読み取りが行われ、次いで、ＩＣタグへの資材データの書き込み行われる。このような、資材データの読み込み及びＩＣタグへの資材データの書き込みが、資材データが付されている建築資材が建築現場に運び込まれる毎に行われて、ＩＣタグへの資材データの保存がされることにより、施工履歴が管理される。
【００５５】
本発明の施工履歴の管理システム（２）によれば、施工履歴の管理は、建築現場に付設されるＩＣタグを媒体として行われるため、外部サーバーが不要である。
【００５６】
また、本発明の施工履歴の管理システム（１）と本発明の施工履歴の管理システム（２）を組み合わせて、建築住宅の施工履歴を管理することもできる。すなわち、各建築工程の施工が行われる前又は行われているときに、建築現場に資材データが付されている建築資材が運び込まれたときには、本発明の施工履歴の管理システム（２）が構築され、資材データの読み取り及びＩＣタグへの書き込みが行われ、且つ、各建築工程の施工が終了したときには、検査、検査結果の入力、検査対象へのＱＲコード（登録商標）の刻印及びＩＣタグへの検査結果データの書き込みが、行われる。
【符号の説明】
【００５７】
１          ＩＣタグ
２          ライター
３、３３    電子計算機
４          データ送信部
５          レーザーマーカー部
６          データ入力部
７          検査結果データ
８          レーザービーム
９          演算部
１０、３０  施工履歴の管理システム
１１        ＩＣタグ収納ボックス
１２        建築現場
１３        基礎
１４        躯体
１５        内装下地
１６        建築資材
２０        検査対象
３１        読み取り部
３７        資材データ
【要約】
【解決課題】サーバーを使用せずに、住宅建築における施工履歴を管理することができる施工履歴の管理システムを提供すること。
【解決手段】建築現場に付設されるＩＣタグと、検査結果が入力されるデータ入力部、該データ入力部に入力された検査結果データをＱＲコード（登録商標）に変換する演算部、該ＱＲコード（登録商標）を検査対象に刻印するレーザーマーカー部、及び該レーザーマーカー部により該ＱＲコードを該検査対象に刻印すると同時に、該検査結果データをライターに送信するデータ送信部を有する電子計算機と、該電子計算機の該データ送信部から送信される該検査結果データを、該ＩＣタグに書き込むライターと、からなることを特徴とする施工履歴の管理システム。
【選択図】図１【図１】
0005628396.tif 000002
【図２】
0005628396.tif 000003
【図３】
0005628396.tif 000004
【図４】
0005628396.tif 000005
【図５】
0005628396.tif 000006
【図６】
0005628396.tif 000007
【図７】
0005628396.tif 000008
【図８】
0005628396.tif 000009
【図９】
0005628396.tif 000010
【図１０】
0005628396.tif 000011